(57)【要約】【課題】不具合発生時のメンテナンスを容易に迅速に且つ確実に行うことができ、大型化及び重量化を抑制して高輝度化を図ることができる照明灯具を提供することにある。【解決手段】平板状の金属ベース２と半筒状の樹脂カバー３とで閉空間４を形成し、閉空間４内の金属ベース２上に光学系及び放熱系を備えた光源ユニット１０を取り付けた。光学系は、光源１６と光源１６が実装された光源実装基板１５と、光源実装基板１５が取り付けられた基台１１と、光源１６を囲むように基台１１上に配設されたランプハウス２０と、ランプハウス２０がパッキン６０を介して取り外し可能に係合固定される光入射部３２と、光源１６からの出射光を反射するリフレクタ３１とリフレクタ３１による反射光を透過して外部に出射するアウターカバー４１とを有する。【選択図】図１
2019023979.tif 000002
【特許請求の範囲】
【請求項１】
平板状の金属ベースと、
前記金属ベースの一方の側を覆うように配置された半筒状の樹脂カバーと、
前記金属ベースと前記樹脂カバーとで形成された閉空間内の前記金属ベース上に取り付けられた光源ユニットと、を備え、
前記光源ユニットは光学系と放熱系とを備えており、
前記光学系は、光源と前記光源が実装された光源実装基板と、前記光源実装基板が取り付けられた基台と、前記光源を囲むように前記基台上に配設されたランプハウスと、前記ランプハウスがパッキンを介して取り外し可能に係合固定される光入射部と、前記光源からの出射光を反射するリフレクタと前記リフレクタによる反射光を透過して外部に出射するアウターカバーとを有し、
前記光入射部、前記リフレクタ及び前記アウターカバーが防水構造によって一体化されると共に前記アウターカバーが前記金属ベースに設けられたアウターカバー嵌合孔に嵌合固定されていることを特徴とする照明灯具。
【請求項２】
前記リフレクタは内面を反射面とし、前記反射面は前記光源の位置を第１焦点の位置とし、前記アウターカバーの外側の位置を第２焦点の位置とする部分回転楕円面形状を有することを特徴とする請求項１に記載の照明灯具。
【請求項３】
前記放熱系は、複数の平板状の放熱フィンが並設されてなる放熱フィン群に締結された複数のヒートパイプが前記金属ベースに伝熱的に取り付けられていることを特徴とする請求項１又は請求項２のいずれかに記載の照明灯具。
【請求項４】
前記樹脂カバーの前記放熱系の直上領域、及び前記金属ベースの前記放熱系の直下領域にはいずれも複数のスリット状貫通孔が設けられていることを特徴とする請求項１〜請求項３のいずれかに記載の照明灯具。
【請求項５】
前記閉空間内の前記金属ベース上に前記光源ユニットよりも重量の重い防水性の電源が取り付けられており、前記金属ベースの前記電源が取り付けられた面と反対面の前記電源の対向位置に、ポールの先端部が嵌合する嵌合部が設けられていることを特徴とする請求項１〜請求項４のいずれかに記載の照明灯具。
【請求項６】
前記閉空間内の前記金属ベース上に防水性の端子台が取り付けられており、前記電源と前記端子台とがコードで接続され、前記端子台と前記光源とが中間に防水コネクタを備えたコードで接続されていることを特徴とする請求項５に記載の照明灯具。
【発明の詳細な説明】
【技術分野】
【０００１】
本発明は、照明灯具に関するものであり、詳しくは、屋外使用の照明灯具に関する。
【背景技術】
【０００２】
従来、この種の照明灯具としては、特許文献１に「ＬＥＤ街灯と散熱モジュールの組立て構造」の名称で開示されたものがある。
【０００３】
開示されたＬＥＤ街灯は図１２にあるように、上蓋板８０が平板８１を介して分隔板８２にネジ止めされて上蓋板８０内に多数の散熱片８３が所定の間隔で並設されてなる散熱体８４が設置され、分隔板８２の下方には分隔板８２に封鎖された下枠フレーム８５を介して光透過レンズ８６が嵌接されて密閉空間の光透過レンズ８６内に複数のＬＥＤランプユニット８７が設置されている。
【０００４】
そして、散熱体８４の連通孔８８及び分隔板８２の穿孔８９を挿通したサーモチューブ９０の受熱端９１が温度均一板９２の片側平面に密着接触し、温度均一板９２の反対側平面がＬＥＤランプユニット８７のＬＥＤモジュール（図示せず）に密着接触している。これにより、ＬＥＤモジュールからの発熱が迅速な熱伝導効果によって効率よく放熱される。
【先行技術文献】
【特許文献】
【０００５】
【特許文献１】実用新案登録第３１２６６２８号
【発明の概要】
【発明が解決しようとする課題】
【０００６】
ところで、上記構成からなるＬＥＤ街灯１００は、屋外において、例えば、地上に立設されたポールに取り付けた状態で設置されるものであるが、ＬＥＤランプユニット（ＬＥＤモジュール）８７やサーモチューブ９０といったＬＥＤ街灯１００を構成する部品に不具合が生じた場合、不具合部品の交換作業においてはＬＥＤ街灯１００は一度分解するとその場で再度組み上げたときに当初の密閉性が確保できるかどうかが懸念材料となる。そのため、ＬＥＤ街灯１００毎交換することによって不具合を解消すると共に信頼性を確保することが図られる。但し、この場合は経済的な負担が大きくなるためにメンテナンス費用を含めたランニングコストの増大を招くことになる。
【０００７】
更に、明るいＬＥＤ街灯１００を得るためにはＬＥＤ街灯１００からの出射光量を増やすことにより可能になるが、そのためにはＬＥＤランプユニット（ＬＥＤモジュール）８７を増やす必要があり、その結果としてＬＥＤ街灯１００からの出射光量の光量アップに伴ってＬＥＤ街灯１００の大型化及び重量化が避けられない。
【０００８】
また、ＬＥＤ街灯１００の大型化及び重量化によって製造時や設置時のハンドリングが難しくなると共に頑丈な取付け機構が必要となって設置費用の増大を招くことになる。ＬＥＤ街灯１００の大型化及び重量化はまた、ポールに取り付けた状態において風や地震を受けたときの揺れを大きくすることになり、機械的な不具合が生じる可能性が増す。
【０００９】
そこで、本発明は上記問題に鑑みて創案なされたものであり、その目的とするところは、不具合発生時のメンテナンスを容易に迅速に且つ確実に行うことができ、大型化及び重量化を抑制して高輝度化を図ることができる照明灯具を提供することにある。
【課題を解決するための手段】
【００１０】
上記課題を解決するために、本発明の請求項１に記載された発明は、平板状の金属ベースと、前記金属ベースの一方の側を覆うように配置された半筒状の樹脂カバーと、前記金属ベースと前記樹脂カバーとで形成された閉空間内の前記金属ベース上に取り付けられた光源ユニットと、を備え、前記光源ユニットは光学系と放熱系とを備えており、前記光学系は、光源と前記光源が実装された光源実装基板と、前記光源実装基板が取り付けられた基台と、前記光源を囲むように前記基台上に配設されたランプハウスと、前記ランプハウスがパッキンを介して取り外し可能に係合固定される光入射部と、前記光源からの出射光を反射するリフレクタと前記リフレクタによる反射光を透過して外部に出射するアウターカバーとを有し、前記光入射部、前記リフレクタ及び前記アウターカバーが防水構造によって一体化されると共に前記アウターカバーが前記金属ベースに設けられたアウターカバー嵌合孔に嵌合固定されていることを特徴とするものである。
【００１１】
また、本発明の請求項２に記載された発明は、請求項１において、前記リフレクタは内面を反射面とし、前記反射面は前記光源の位置を第１焦点の位置とし、前記アウターカバーの外側の位置を第２焦点の位置とする部分回転楕円面形状を有することを特徴とするものである。
【００１２】
また、本発明の請求項３に記載された発明は、請求項１又は請求項２のいずれかにおいて、前記放熱系は、複数の平板状の放熱フィンが並設されてなる放熱フィン群に締結された複数のヒートパイプが前記金属ベースに伝熱的に取り付けられていることを特徴とするものである。
【００１３】
また、本発明の請求項４に記載された発明は、請求項１〜請求項３のいずれかにおいて、前記樹脂カバーの前記放熱系の直上領域、及び前記金属ベースの前記放熱系の直下領域にはいずれも複数のスリット状貫通孔が設けられていることを特徴とするものである。
【００１４】
また、本発明の請求項５に記載された発明は、請求項１〜請求項４のいずれかにおいて、  前記閉空間内の前記金属ベース上に前記光源ユニットよりも重量の重い防水性の電源が取り付けられており、前記金属ベースの前記電源が取り付けられた面と反対面の前記電源の対向位置に、ポールの先端部が嵌合する嵌合部が設けられていることを特徴とするものである。
【００１５】
また、本発明の請求項６に記載された発明は、請求項５において、前記閉空間内の前記金属ベース上に防水性の端子台が取り付けられており、前記電源と前記端子台とがコードで接続され、前記端子台と前記光源とが中間に防水コネクタを備えたコードで接続されていることを特徴とするものである。
【発明の効果】
【００１６】
本発明によれば、金属ベースと樹脂カバーとで形成した閉空間内の金属ベース上に光学系と放熱系とを備えた光源ユニットを取り付け、光学系を、光源と光源が実装された光源実装基板と、光源実装基板が取り付けられた基台と、光源を囲むように基台上に配設されたランプハウスと、ランプハウスがパッキンを介して取り外し可能に係合固定される光入射部と、光源からの出射光を反射するリフレクタと、リフレクタによる反射光を透過して外部に出射するアウターカバーとを有する構成とした。
【００１７】
これにより、不具合発生時のメンテナンスを容易に迅速に且つ確実に行うことができ、大型化及び重量化を抑制して高輝度化を図ることができる照明灯具を実現した。
【図面の簡単な説明】
【００１８】
【図１】本発明に係る実施形態の照明灯具の縦断面図である。
【図２】光源ユニットを光路形成部側から見た分解斜視図である。
【図３】光源ユニットを放熱ユニット側から見た分解斜視図である。
【図４】光源ユニットをリフレクタ側からリフレクタを取り除いて見た図である。
【図５】図４のＡ−Ａ断面図である。
【図６】光源ユニットで形成される光路の説明図である。
【図７】照明灯具を樹脂カバー側から樹脂カバーを取り除いて見た図である。
【図８】図７の側面図である。
【図９】図７の裏面図である。
【図１０】本発明に係る実施形態の照明灯具を樹脂カバー側から見た上面図である。
【図１１】照明灯具の照射領域の説明図である。
【図１２】従来例の説明図である。
【発明を実施するための形態】
【００１９】
以下、この発明の好適な実施形態を図１〜図１１を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２０】
本発明の照明灯具１は図１に示すように、主に略平板状の軽金属からなる金属ベース２と該金属ベース２の一方の面側に位置する、両端開口を塞いだ略半筒状の樹脂カバー３とで閉空間４が形成され、閉空間４内に放熱手段（放熱ユニット５０）を備えた光源ユニット１０、光源ユニット１０を構成する光源１６に電源コード（図示せず）を介して電力を供給する電源６６、外部電源に接続された電力導入コード６７と電源６６の入力コード６８とを接続する端子台６９を備えている。そのうち、光源ユニット１０において光源１６からの出射光の光路形成に係る中空構造の光路形成空間３０ａを備えた光路形成部３０、電源６６及び端子台６９の夫々は防水構造を有している。一方、金属ベース２の他方の面側には、照明灯具１を取り付けるポール７５の先端部を挿嵌する半筒状の挿嵌部５を有している。
【００２１】
光源ユニット１０は図２及び図３に示すように、主に基台１１、光源実装基板１５、ランプハウス２０、パッキン６０、光路形成部３０及び放熱ユニット５０を備えている。
【００２２】
基台１１は、円板状を呈しており、金属あるいはセラミック等の熱伝導性が良好な材料で形成されている。
【００２３】
光源実装基板１５は、光源１６と光源１６が実装された基板１７を有しており、そのうち光源１６は、発光源として例えば半導体発光素子（本実施形態においてはＬＥＤ素子）が用いられると共に１個以上のＬＥＤ素子が表面実装型のパッケージに組み込まれた構成を有しており、光出射面１６ａ側から見た形状が矩形状を呈している。なお、光源１６の光出射面１６ａの形状も矩形状を呈している。
【００２４】
基板１７は、ガラスエポキシ基板（ＦＲ−４）やガラスコンポジット基板（ＣＥＭ−３）、アルミニウム等の金属材料からなる金属基板あるいはセラミック材料からなるセラミック基板等が適宜選択して用いられる。
【００２５】
ランプハウス２０は、白色の遮光反射樹脂で形成されており、外周縁部に位置する環状の底部２１と底部２１の内側で且つ底部２１よりも一段高い位置に位置する円板状の上底部２２を有している。そして、上底部２２の中央には、光源１６に対応する矩形状の開口２３と、前記開口２３の四辺の夫々から立ち上がって前方斜め側方に傾斜して上底部２２まで延びる傾斜反射面２４を有している。また、ランプハウス２０の上底部２２の外周縁部には、該外周縁部から略直角に立ち上がって所定の高さまで前方に延びて側方に折り曲げられた形状の係止片２５が周方向に所定の間隔で複数個所に設けられている。
【００２６】
光路形成部３０は、回転楕円面を互いに略直交する２つの面で切り取った回転楕円面の一部からなる部分楕円面形状を有するリフレクタ３１と、部分楕円面形状のリフレクタ３１の２つの切取面のうち一方の切取面に対応する光入射部３２と、他方の切取面に対応する光出射部４０を有しており、内部は中空構造の光路形成空間３０ａを有すると共に外周は防水構造を有している。
【００２７】
リフレクタ３１は、耐熱性を有する樹脂材料で形成され、内面を部分回転楕円面からなる光反射面３１ａとしている。
【００２８】
光入射部３２は、平板部３３と平板部３３の中央部の上部湾曲側に形成された該平板部３３よりも前方に一段高い位置に位置する円板状の上底部３４を有し、上底部３４の中央部に円状の開口３５を有している。上底部３４の裏面側空間３６はランプハウス２０の外周に対応する大きさの径を有し、上底部３４の中央部に設けられた開口３５はランプハウス２０の上底部２２に対応する径を有すると共に、開口端部３７にはランプハウス２０の上底部２２に設けられた係止片２５に対向する位置に切欠き３８が設けられている。
【００２９】
光出射部４０は、透明材料からなり光源１６からの出射光が透過するアウターカバー４１で構成されている。
【００３０】
放熱系を形成する放熱ユニット５０は、複数（本実施形態では１２枚）の平板状の放熱フィン５１が平行に並設されてなる放熱フィン群５２と、複数（本実施形態では３本）のＵ字状のヒートパイプ５３が平行に並設されてなるヒートパイプ群５４を有しており、ヒートパイプ群５４の夫々ヒートパイプ５３のＵ字状の屈曲部５５の一方の側から延びる直線部５６が放熱フィン群５２に対してカシメによる２箇所以上の密着固定がなされており、先端部５６ａが放熱フィン群５２から外部に突出している。
【００３１】
上記構成部材からなる光源ユニット１０は図４及び図５に示すように、基台１１の一方の面上に、光源１６を実装した光源実装基板１５が面接触した状態で取り付けられていると共に同一面上にランプハウス２０がパッキン６１を間に挟んでねじ１２によってねじ止め固定されている。このとき、基台１１上に取り付けられた光源実装基板１５は、ランプハウス２０の上底部２２の裏面側空間２６内に収容されており、上底部２２に設けられた矩形状の開口２３が矩形状の光源１６の夫々の側面を囲むように位置している。
【００３２】
基台１１にねじ止め固定されたランプハウス２０は、光入射部３２の上底部３４の裏面側空間３６に収納されて上底部２２の表面２２ａがパッキン６０を介して光入射部３２の上底部３４の内面３４ａに対向配置された状態で、ランプハウス２０の上底部２２に設けられた係止片２５を光入射部３２の開口端部３７に設けられた切欠き３８に挿通してランプハウス２０を押圧しながら回動することにより係止片２５が光入射部３２の開口端部３７に係合されている。
【００３３】
これにより、光源ユニット１０を構成する基台１１、光源実装基板１５、ランプハウス２０及び光路形成部３０が２つのパッキン６０、６１を介して防水構造に構成され、その中に光源１６が収容されている。
【００３４】
基台１１の他方の面側には上述の放熱ユニット５０が配設されており、基台１１の裏面に突出して延設された一対の側壁１３によって囲まれた溝部１４に、放熱ユニット５０の放熱フィン群５２に接触固定されたヒートパイプ群５４の夫々のヒートパイプ５３の直線部５６に対して屈曲部５５の他方の側から延びる直線部５７が嵌め込まれている。
【００３５】
なお、基台１１の溝部１４の内面とヒートパイプ５３の直線部５７の外面とは面接触した状態になっており、そのため、放熱ユニット５０がヒートパイプ群５４を介して基台１１に固定されると同時に、光源（ＬＥＤ素子）１６の点灯（発光）時に光と同時に発せられた熱が光源実装基板１５を伝導されて基台１１に移動し、基台１１に移った熱がヒートパイプ５３の、基台１１に溝部１４に接触した部分で吸熱されてヒートパイプ５３内を移動して該ヒートパイプ５３が接触固定された放熱フィン群５２に伝達され、放熱フィン群５２を介して外部に放散される。
【００３６】
これにより、発光源のＬＥＤ素子の発光時の自己発熱による温度上昇を良好に抑制することができる。その結果、ＬＥＤ素子の温度上昇に起因するＬＥＤ素子の発光効率の低減による発光光量の減少が抑えられると共に、同様にＬＥＤ素子の温度上昇に起因するＬＥＤ素子の劣化による素子寿命の短縮を抑制することが可能となる。
【００３７】
光源ユニット１０の光学系は図６に示すように、光源１６、リフレクタ３１の光反射面３１ａ及び光出射部４０のアウターカバー４１で構成されており、リフレクタ３１の光反射面３１ａは上述したように部分回転楕円面の形状を有している。この部分回転楕円面は、第１焦点（ｆ１）の位置を光源１６の位置とし、第２焦点（ｆ２）の位置を光出射部４０のアウターカバー４１の前方斜め下方（光源１６側方向）の位置としている。
【００３８】
そこで、第１焦点（ｆ１）の位置に位置する光源１６からリフレクタ３１の回転楕円面からなる光反射面３１ａに向けて出射された光は、光路形成部３０の光路形成空間３０ａ内を伝搬されて光反射面３１で第２焦点（ｆ２）の位置に向けて反射され、反射光が光路形成空間３０ａ内を伝搬されて光出射部４０のアウターカバー４１を透過して一旦第２焦点（ｆ２）に集束した後、あたかも第２焦点（ｆ２）の１点から出射した光のごとく放射光となって拡散される。
【００３９】
上記構成の光源ユニット１０は図７〜図９に示すように、電源６６及び端子台６９と共に金属ベース２上に支持固定される。この場合、電源６６は、金属ベース２の一端部側の裏面側に設けられて、照明灯具１を取り付けるポール７５の先端部を挿嵌する挿嵌部５の直上位置に配置され、光源ユニット１０は、金属ベース２の、電源６６が配置された側と反対側の他端部側に配置されている。端子台６９は電源６６と光源ユニット１０との間に配置されている。
【００４０】
このように、光源ユニット１０よりも重量の重い電源６６をポール７５の直上に配置することによりポール７５に対して照明灯具１をバランスよく安定した状態で取り付けることができる。
【００４１】
金属ベース２の光源ユニット１０の配置位置には、光源ユニット１０の光路形成部３０を構成する光出射部４０に対応する、楕円と直線とで囲まれた形状（蒲鉾状）のアウターカバー嵌合孔６が設けられており、このアウターカバー嵌合孔６にアウターカバー４１が嵌合固定されている。また、金属ベース２には、光源ユニット１０を構成する放熱ユニット５０の放熱フィン群５２の直下位置に、光源１６から放熱フィン群５２に伝導された熱を自然空冷で放熱するための外気を取り込む複数のスリット状貫通孔からなる吸気孔７が設けられている。
【００４２】
そして、金属ベース２上に支持固定された電源６６、端子台６９及び光源ユニット１０に対し、ポール７５内を配線された電力導入コード６７が端子台６９において入力コード６８に接続され、入力コード６８は電源６６の入力端子（図示せず）に接続されて電源６６の出力端子（図示せず）に電源コード６５が接続されて光源実装基板１５まで延びている。
【００４３】
なお、電源コード６５には途中に防水コネクタ７０が設けられており、コード及び回路の断続が容易に行えるようになっている。
【００４４】
そこで、外部電源（図示せず）から供給された電力は電力導入コード６７及び入力コード６８を通して電源６６に送られ、電源６６で光源１６の駆動電圧に変換された電力が電源コード６５を通して光源実装基板１５に送られて光源１６に給電され、それにより光源１６が駆動されて点灯する。
【００４５】
上記回路構成において、光源ユニット１０に不具合（例えば、光源１６の輝度低下や不点灯等）が生じた場合、防水コネクタ７０で回路を切断することにより、電源６６を金属ベース２上に固定した状態で光源ユニット１０の光入射部３２から該光入射部３２に係合固定されたランプハウス２０を取り外してランプハウス２０、光源実装基板１５が取り付けられた基台１１及び放熱ユニット５０を一体的に取り外す。
【００４６】
その後、正常な光源１６を実装した光源実装基板１５が取り付けられた基台１１及び放熱ユニット５０をランプハウス２０を介して光源ユニット１０の光入射部３２に係合固定する。
【００４７】
また、電源６６に不具合（例えば、出力低下や無出力等）が生じた場合は、端子台６９及び防水コネクタ７０の両方で回路を切断することにより、光源ユニット１０を金属ベース２上に固定した状態で電源６６のみを取り外して修理するか、あるいは新たな電源６６に交換することができる。
【００４８】
樹脂カバー３は図１に示すように、光源ユニット１０、電源６６及び端子台６９が取り付けられた金属ベース２を上方から覆うように両端開口を塞いだ略半筒状を呈している。
【００４９】
樹脂カバー３は、耐熱性及び耐候性に優れた樹脂材料で形成されており、光源ユニット１０を構成する放熱ユニット５０の放熱フィン群５２の直上位置に、光源１６から放熱フィン群５２に伝導された熱を自然空冷で受熱してその熱を放熱する複数のスリット状貫通孔からなる排気孔８が設けられている（図１０参照）。
【００５０】
つまり、金属ベース２に設けられた吸気孔７と樹脂カバー３に設けられた排気孔８とによる煙突効果によって、光源１６から放熱ユニット５０の放熱フィン群５２に伝導された熱が効率よく放熱される。なお、金属ベース２に設けられた吸気孔７は、外気を取り込む吸気機能と同時に金属ベース２と樹脂カバー３とで形成された閉空間４内に侵入した水を排出する排水機能も有している。
【００５１】
照明灯具１は図１１に示すように、ポール７５に取り付けた状態において、光軸Ｘを側方に向けて配置された光源１６から側方側に向けて出射された光が、光出射方向の前方（ポール７５側）に位置するリフレクタ３１の光反射面３１ａで下方に向けて反射されてその反射光が下方の照射面を照射する。
【００５２】
そのため、照明灯具１からの照射光はリフレクタ３１の直下位置よりもポール７５側を照射することはなく、リフレクタ３１の直下近傍から前方（ポール７５と反対側）を照らすことになる。そこで、例えば、照明灯具１を、道路の路肩に設けたポールに取り付けて道路を照明する街路灯の灯具として用いた場合、道路の幅方向に対して、路肩の外側の照明が不要なエリアには光が向けられず、照射光のほとんどは路面に向けられることになる。その結果、照明灯具１からの出射光の利用効率が高まって路面が明るく照らされ、運転者の前方視認性を高めることができる。
【００５３】
ところで、照明灯具１の出射光による照射パターンは、光源１６の光出射面１６ａの形状が投影される。本実施形態の場合、光源１６は上述したように光出射面１６ａの形状が矩形状を呈しており、光源ユニット１０において光源１６は光出射面１６ａの長手方向を水平方向とし、短手方向を鉛直方向として配置されている。そのため、道路の幅方向は光源１６の光出射面１６ａの短手方向が投影され、道路の延長方向は光源１６の光出射面１６ａの長手方向が投影される。
【００５４】
従って、光源１６の光出射面１６ａの形状を適宜変えることにより、路面に対して形成される照射領域のパターンを所望するパターンに設定することができる。
【００５５】
また、光源１６の光出射面１６ａの大きさが照射領域の大きさに反映されると共に光源を構成するＬＥＤ素子の素子数が照射領域の明るさに反映される。そのため、照明灯具１の大型化及び重量化をすることなく光源の光出射面の形状寸法のみを変えることで照射領域の形状及び範囲を設定することができ、同様に、照明灯具１の大型化及び重量化することなく光源を構成するＬＥＤ素子の数のみを変えることで照射領域内の明るさを設定することができる。
【００５６】
なお、上記構成の照明灯具１は、光源ユニット１０が、該光源ユニット１０を構成するアウターカバー４１を金属ベース２のアウターカバー嵌合孔６に嵌合固定することにより金属ベース２上に取り付けられている。そのため、アウターカバー４１は、光源ユニット１０を金属ベース２に取り付けるための取付部としての機械的機能と、光源１６からの出射光を外部に向けて出射する光出射部としての光学的機能の両方の機能を兼ね備えている。
【００５７】
その結果、照明灯具１を構成する構成部品の点数が抑制されて製造コストの低減を図ることができる。
【符号の説明】
【００５８】
１…  照明灯具
２…  金属ベース
３…  樹脂カバー
４…  閉空間
５…  挿嵌部
６…  アウターカバー嵌合孔
７…  吸気孔
８…  排気孔
１０…  光源ユニット
１１…  基台
１２…  ねじ
１３…  側壁
１４…  溝部
１５…  光源実装基板
１６…  光源
１６ａ…  光出射面
１７…  基板
２０…  ランプハウス
２１…  底部
２２…  上底部
２２ａ…  表面
２３…  開口
２４…  傾斜反射面
２５…  係止片
２６…  裏面側空間
３０…  光路形成部
３０ａ…  光路形成空間
３１…  リフレクタ
３１ａ…  光反射面
３２…  光入射部
３３…  平板部
３４…  上底部
３４ａ…  内面
３５…  開口
３６…  裏面側空間
３７…  開口端部
３８…  切欠き
４０…  光出射部
４１…  アウターカバー
５０…  放熱ユニット
５１…  放熱フィン
５２…  放熱フィン群
５３…  ヒートパイプ
５４…  ヒートパイプ群
５５…  屈曲部
５６…  直線部
５６ａ…  先端部
５７…  直線部
６０…  パッキン
６１…  パッキン
６５…  電源コード
６６…  電源
６７…  電力導入コード
６８…  入力コード
６９…  端子台
７０…  防水コネクタ
７５…  ポール
【図１】
2019023979.tif 000003
【図２】
2019023979.tif 000004
【図３】
2019023979.tif 000005
【図４】
2019023979.tif 000006
【図５】
2019023979.tif 000007
【図６】
2019023979.tif 000008
【図７】
2019023979.tif 000009
【図８】
2019023979.tif 000010
【図９】
2019023979.tif 000011
【図１０】
2019023979.tif 000012
【図１１】
2019023979.tif 000013
【図１２】
2019023979.tif 000014